(57)【特許請求の範囲】
【請求項１】
開閉可能であって発光部が配置された表示手段と、
前記表示手段が開状態にあるときに現れ、閉状態にあるときに遮蔽される操作対象部位が操作対象面に配置された装置本体と、
前記表示手段が開状態にあるときに、前記発光部によって前記操作対象部位に対する選択的な照明を行わせる照明制御手段と、
を備え、前記表示手段は、前記発光部としてのバックライトと、前記バックライトの発光面に配置された液晶パネルとを有し、
前記液晶パネルは、前記表示手段が閉状態にあるときに、利用者から見える面に設置されており、
前記照明制御手段は、前記表示手段が開状態にあるときに、前記液晶パネルに備わった電極に印加する電圧を調整して液晶の配向角を変えて、前記発光部から前記操作対象部位に向けた光の照射量を増加させるとともに、前記液晶パネルから前記操作対象部位を操作する利用者に直接向かう光の量を減らし、
前記表示手段が開状態にあるときに、前記表示手段によって前記操作対象部位に対する照明を行うことを特徴とする表示装置。
【請求項２】
請求項１において、
前記照明制御手段は、前記液晶パネルの表示内容を制御することにより、前記操作対象部位とそれ以外の部位のそれぞれに前記発光部から照射される光の明るさおよび色の少なくとも一方を変えることによって、前記操作対象部位に対する選択的な照明を行わせることを特徴とする表示装置。
【請求項３】
請求項１において、
前記照明制御手段は、前記液晶パネルの表示内容を制御することにより、前記発光部から前記操作対象部位あるいはその周辺に特定の映像を内容とした光を照射することによって、前記操作対象部位に対する選択的な照明を行わせることを特徴とする表示装置。
【発明の詳細な説明】
【技術分野】
【０００１】
本発明は、ＣＤ等の挿入口やその周辺の操作部の照明を行う表示装置に関する。
【背景技術】
【０００２】
従来から、ＣＤ等の挿入口に重ねて液晶ディスプレイを配置し、ＣＤ等の再生時は挿入口を液晶ディスプレイで閉じた状態で所定の表示を行い、挿入口に対するＣＤ等の挿抜時には液晶ディスプレイを傾倒させて挿入口を照明するようにした表示装置が知られている（例えば、特許文献１参照。）。この表示装置では、傾倒させた液晶ディスプレイ装置によって照明を行う際に、バックライトの輝度を最大に調光し、画面の色調を白色あるいはこれ以外の単色の画面に変更し、コントラスト変更によって視野方向を変えており、これらによって視認性を高める工夫がなされている。このようにしてＣＤ等の挿抜時に液晶ディスプレイを照明装置として用いることにより、ＣＤ等の挿入口の照明のためだけに用いられるＬＥＤ等の照明部をなくすことができ、装置の小型化や低コスト化を実現することができる。
【特許文献１】特開２００３−３２７０５１号公報（第３−６頁、図１−３）
【発明の開示】
【発明が解決しようとする課題】
【０００３】
ところで、上述した特許文献１に開示された表示装置では、白色あるいはそれ以外の単色に設定した液晶ディスプレイの全体を発光部として用いて、ＣＤ等の挿入口を含む筐体の前面を均等に照明しており、挿入口の位置をその形状等から利用者自身が探さなければならず、操作対象となる部位の位置確認が容易ではないという問題があった。例えば、挿入口の周辺にＬＥＤ等の照明部を配置した場合と異なり、照明によって明るくなった筐体前面の中から利用者自身が見つけ出す必要がある。
【０００４】
本発明は、このような点に鑑みて創作されたものであり、その目的は、照明時に操作対象部位の位置確認を容易に行うことができる表示装置を提供することにある。
【課題を解決するための手段】
【０００５】
上述した課題を解決するために、本発明の表示装置は、開閉可能であって発光部が配置された表示手段と、表示手段が開状態にあるときに現れ、閉状態にあるときに遮蔽される操作対象部位が操作対象面に配置された装置本体と、表示手段が開状態にあるときに、発光部によって操作対象部位に対する選択的な照明を行わせる照明制御手段とを備えている。装置本体の一の面全体に対して表示手段の発光部によって照明を行うのではなく、操作対象部位のみに対して選択的に照明を行うことにより、利用者自身が操作対象部位の位置を探すことなくその位置確認を容易に行うことができる。
【０００６】
また、上述した表示手段は、発光部としてのバックライトと、バックライトの発光面に配置された液晶パネルとを有し、液晶パネルは、表示手段が閉状態にあるときに、利用者から見える面に設置されている。これにより、多くの装置に採用されているバックライト付きの液晶パネルを用いて操作対象部位に対する照明を行うことが可能になり、照明用の発光部を別に備える必要がなくなるため、部品点数の低減に伴うコストダウンが可能になる。
また、上述した照明制御手段は、表示手段が開状態にあるときに、液晶パネルに備わった電極に印加する電圧を調整して液晶の配向角を変えて、発光部から操作対象部位に向けた光の照射量を増加させるとともに、液晶パネルから操作対象部位を操作する利用者に直接向かう光の量を減らし、表示手段が開状態にあるときに、表示手段によって操作対象部位に対する照明を行っている。これにより、操作対象部位に向けた光の照射量を増加させると同時に、液晶パネルから利用者に直接向かう光の量を減らすことが可能になるため、直接光が視界に入ることによって眩しくなることを防止することができる。
【０００７】
また、上述した照明制御手段は、液晶パネルの表示内容を制御することにより、操作対象部位とそれ以外の部位のそれぞれに発光部から照射される光の明るさおよび色の少なくとも一方を変えることによって、操作対象部位に対する選択的な照明を行わせることが望ましい。あるいは、上述した照明制御手段は、液晶パネルの表示内容を制御することにより、発光部から操作対象部位あるいはその周辺に特定の映像（文字、図形、記号等）を内容とした光を照射することによって、操作対象部位に対する選択的な照明を行わせることが望ましい。液晶表示パネルの表示内容、すなわち表示する画像の内容を変更するだけであって、複雑な処理を行うことなく操作対象部位を強調して照明を行うことが可能になり、処理の簡略化が可能になる。
【発明を実施するための最良の形態】
【００１２】
以下、本発明の電子機器操作装置を適用した一実施形態の表示装置について、図面を参照しながら詳細に説明する。
【００１３】
〔第１の実施形態〕
図１は、第１の実施形態の表示装置の構成を示す図である。図１に示すように、本実施形態の表示装置１００は、液晶パネル１０、液晶駆動部１２、バックライト１４、バックライト駆動部１６、表示処理部２０、開閉検出部３０、メディア挿入検出部３２、照明パターン格納部３４、制御部４０を含んで構成されている。
【００１４】
液晶パネル１０は、開閉可能なノーズの一方の面に取り付けられており、所定の解像度で任意の色を表示することができる。図２および図３は、液晶パネルの設置状態を示す図である。図２および図３に示す車載装置２００の一部として表示装置１００が設けられている。この車載装置２００は、開閉可能なノーズ２０２と、ノーズ２０２が取り付けられた装置本体２０４とを備えている。ノーズ２０２は、閉状態において、装置本体２０４の前面２１０の全体を覆っている。この閉状態において、運転者から見える面に液晶パネル１０が設置されている。また、ノーズ２０２は、この閉状態から、液晶パネル１０が次第に上向きとなるようにスライドし、最終的にほぼ水平となる開状態に移行させることができる。また、反対に開状態から閉状態に移行させることができる。これらの開閉動作は、駆動部によって自動的に行う場合の他に、利用者による手動で行われるようにしてもよい。ノーズ２０２が開状態のときに、装置本体２０４の前面２１０に設けられたＣＤ挿入口２２０、ＭＤ挿入口２３０およびそれぞれに対応するイジェクトボタン２２２、２３２が外部に露出する。
【００１５】
液晶駆動部１２は、液晶パネル１０の全面に配置された電極に所定の駆動電圧を印加することにより液晶パネル１０に対する表示制御を行う。バックライト１４は、ノーズ２０２の内部であって液晶パネル１０の背面に配置されており、液晶パネル１０の全面に単色光からなる照明光を照射する。なお、バックライト１４は、必ずしも液晶パネル１０の背面全体に配置する必要はなく、液晶パネル１０の縁近傍に配置してその照射光を反射シート等で反射して液晶パネル１０に照射するようにしてもよい。バックライト駆動部１６は、バックライト１４の照明状態を制御する。表示処理部２０は、バックライト駆動部１６および液晶駆動部１２を制御することにより、液晶パネル１０に画像を表示するための処理を行う。例えば、描画データが入力されると、表示処理部２０は、液晶駆動部１２を制御して液晶パネル１０にこの描画データに対応する画像を表示させる。また、表示処理部２０は、バックライト駆動部１６に指示を送って、所定の輝度でバックライト１４を点灯させる。
【００１６】
開閉検出部３０は、ノーズ２０２の開閉状態を検出する。例えば、開閉状態に応じてオンオフ状態が切り替わるスイッチを開閉検出部３０として用いることができる。あるいは、前面２１０の一部に開閉検出部３０としての光センサを設け、ノーズ２０２の開閉状態を光センサによって検出するようにしてもよい。
【００１７】
メディア挿入検出部３２は、ＣＤ挿入口２２０に対するＣＤの挿入状態と、ＭＤ挿入口２３０に対するＭＤの挿入状態を検出する。照明パターン格納部３４は、ＣＤ挿入口２２０、ＭＤ挿入口２３０、イジェクトボタン２２２、２３２の形状および配置に対応した照明パターンを示す画像データを格納する。
【００１８】
制御部４０は、ノーズ２０２の開閉動作に伴う液晶パネル１０の表示内容を変更する制御を含む表示装置１００の全体動作を制御する。なお、この制御部４０は、車載装置２００の全体を制御する制御部を兼ねるようにしてもよいし、別々に設けるようにしてもよい。
【００１９】
上述した装置本体２０４の前面が操作対象面に、ＣＤ挿入口２２０、ＭＤ挿入口２３０、イジェクトボタン２２２、２３２が操作対象部位に、液晶パネル１０、液晶駆動部１２、バックライト１４、バックライト駆動部１６が表示手段に、バックライト１４が発光部に、制御部４０、照明パターン格納部３４、表示処理部２０が照明制御手段にそれぞれ対応する。
【００２０】
本実施形態の表示装置はこのような構成を有しており、次に、その動作を説明する。図４は、ノーズ２０２の開閉動作に伴って行われる表示装置１００の動作手順を示す流れ図である。
【００２１】
制御部４０は、開閉検出部３０による検出状態を監視することにより、ノーズ２０２が開状態になったか否かを判定する（ステップ１００）。開状態になっていない場合には否定判断が行われて、この判定が繰り返される。また、ノーズ２０２が閉状態から開状態に変化してその旨が開閉検出部３０によって検出されるとステップ１００の判定において肯定判断が行われる。
【００２２】
次に、制御部４０は、照明パターン格納部３４に格納されている照明パターンの画像データを読み出し（ステップ１０１）、メディア（ＣＤ、ＭＤ）がそれぞれ挿入口２２０、２３０に挿入された状態にあるか否かを判定する（ステップ１０２）。挿入中の場合には肯定判断が行われ、次に、制御部４０は、ＣＤあるいはＭＤが挿入中であることを未挿入の場合と識別できるようにするために、読み出した照明パターンの画像データの一部の色を変更する（ステップ１０３）。例えば、ＣＤが挿入中の場合には、ＣＤ挿入口２２０とイジェクトボタン２２２の色が変更され、ＭＤが挿入中の場合には、ＭＤ挿入口２３０とイジェクトボタン２３２の色が変更される。なお、ＣＤ、ＭＤのいずれも未挿入の場合にはステップ１０２の判定において否定判断が行われ、ステップ１０３における色変更は行われない。
【００２３】
次に、制御部４０は、照明パターン格納部３４から読み出された照明パターンの画像データに基づいて、あるいは色変更が行われた後の画像データに基づいて、照明パターンの描画処理を行い（ステップ１０４）、それまでの表示内容を照明パターンに変更する（ステップ１０５）。
【００２４】
図５は、照明パターンの表示の具体例を示す図である。図５に示す表示例は、開状態にあるノーズ２０２を上から見た状態が示されており、上辺が装置本体２０４の前面２１０の下部に対応する。領域Ｐ１は、ノーズ２０２を閉じた状態においてＣＤ挿入口２２０およびイジェクトボタン２２２を覆う部分Ｐ１１と、ＭＤ挿入口２３０およびイジェクトボタン２３２を覆う部分Ｐ１２を含んでおり、明るい色が付されている。例えば、ＣＤとＭＤの両方が未挿入の場合には、領域Ｐ１１、Ｐ１２の両方が白色に設定される。また、ＣＤのみが挿入されている場合には、一方の領域Ｐ１１が赤色に設定され、他方の領域Ｐ１２が白色に設定される。ＭＤのみが挿入されている場合には、一方の領域Ｐ１１が白色に設定され、他方の領域Ｐ１２が赤色に設定される。ＣＤ、ＭＤの両方が挿入されている場合には、領域Ｐ１１、Ｐ１２の両方が赤色に設定される。
【００２５】
また、領域Ｐ２、Ｐ３は、領域Ｐ１から次第に遠ざかる部分であり、次第に暗い色（例えば、灰色と黒色）が付されている。
【００２６】
このような表示パターンを液晶パネル１０に表示することにより、領域Ｐ１に対応するＣＤ挿入口２２０、ＭＤ挿入口２３０、イジェクトボタン２２２、２３２とその周辺部分のみが明るく照明され、それ以外の部分は次第に暗くなるように照明される。
【００２７】
次に、制御部４０は、ノーズ２０２の閉状態を検出したか否かを判定する（ステップ１０６）。閉状態を検出していない場合には否定判断が行われ、ステップ１０２のメディアの挿入判定以降の処理が繰り返される。
【００２８】
また、ノーズ２０２の閉状態が検出されるとステップ１０６において肯定判断が行われ、次に、制御部４０は、それまで表示していた照明パターンを元の表示内容に戻した後（ステップ１０７）、ステップ１００のノーズ２０２の開状態判定以降の処理が繰り返される。
【００２９】
このように、本実施形態の表示装置１００では、装置本体２０４の前面２１０全体に対して液晶パネル１０とバックライト１４によって照明を行うのではなく、操作対象部位としてのＣＤ挿入口２２０等のみに対して選択的に照明を行うことにより、利用者自身が操作対象部位の位置を探すことなくその位置確認を容易に行うことができる。
【００３０】
また、多くの装置に採用されているバックライト付きの液晶パネル１０を用いて操作対象部位に対する照明を行うことにより、照明用の発光部を別に備える必要がなくなるため、部品点数の低減に伴うコストダウンが可能になる。
【００３１】
また、液晶パネル１０の表示内容、すなわち表示する画像の内容を変更するだけで、複雑な処理を行うことなく操作対象部位を強調して照明を行うことが可能になり、処理の簡略化が可能になる。
【００３２】
図６は、照明パターンの表示の変形例を示す図である。図６に示す表示例は、図５に示した表示例と同様に、開状態にあるノーズ２０２を上から見た状態が示されている。領域Ｐ２１は、ノーズ２０２を閉じた状態においてＣＤ挿入口２２０およびイジェクトボタン２２２を覆う部分であり、この部分が独立して一つの領域を形成している。また、領域Ｐ２２は、ノーズ２０２を閉じた状態においてＭＤ挿入口２３０およびイジェクトボタン２３２を覆う部分であり、この部分が独立して一つの領域を形成している。これらの領域Ｐ２１、Ｐ２２は明るい色が設定されており、ＣＤおよびＭＤの挿入状態に応じて色を異ならせる点については図５に示した表示例と同じである。また、領域Ｐ２１、Ｐ２２以外の領域Ｐ２３には暗い色が設定されている。
【００３３】
ところで、上述した本実施形態の説明では、装置本体２０４の前面２１０にＣＤ挿入口２２０やＭＤ挿入口２３０等の開口が形成されている場合について説明したが、イジェクトボタン２２２、２３２のような操作部のみが装置本体２０４の前面２１０に配置されている場合についても本発明を適用することができる。このような場合にも、図５や図６に示す照明パターンを液晶パネル１０に表示することで、各操作部を含むその周囲を照明することができる。
【００３４】
また、操作部を照明する場合に、操作部の内容に対応した文字を投影するようにしてもよい。図７〜図９は、操作部に文字を投影する場合の変形例を示す図である。図７に示すように装置本体２０４の前面２１０には、２つの操作ボタン２４０、２４４が備わっており、これらの操作ボタン２４０、２４４の下側には、それぞれの操作内容を示す「ＵＰ」の文字と「ＤＯＷＮ」の文字が描かれている。このような装置本体２０４の前面２１０に対して、図９に示す照明パターンの表示が行われる。領域Ｐ３１、３２のそれぞれは、ノーズ２０２を閉じたときに、操作ボタン２４０、２４４に対応する部分であり、明るい色が設定されているとともに、それぞれの中に投影したときに、図９に示すように「ＵＰ」あるいは「ＤＯＷＮ」の文字が操作ボタン２４０、２４４上に映し出されるように逆さ文字が含まれている。
【００３５】
このように、文字（あるいは操作内容がわかる図形や記号であってもよい）を含ませて装置本体２０４の前面２１０の操作対象箇所に対する照明を行うことにより、暗い場所での操作が容易となるだけでなく、操作指示の内容を確認することができる。
【００３６】
また、本実施形態では、液晶の配向角については特に説明していないが、照明パターンを表示する際に装置本体２０４の前面２１０の該当箇所が最も明るくなるように配向角を制御することが望ましい。すなわち、図１０に示すように、液晶パネル１０は、電極付きの２枚のガラスＧ１、Ｇ２によって液晶Ｅを挟み込んだ構造を有しており、電極に電圧が印加されていない状態で、しかもバックライト１４が消灯しているときには、外部から黒く見える。これに対して、図１１に示すように、電極に電圧を印加した状態では液晶Ｅの配向角が変わってバックライト１４の照射光を液晶パネル１０を通して外部から見ることが可能になり、照明パターンが表示された液晶パネル１０から光を照射することが可能になる。特に、液晶Ｅの配向角は、電極に印加する電圧を制御することにより調整可能であり、図１２に示すように、水平状態に置かれた液晶パネル１０から装置本体２０４の前面２１０に向けてバックライト１４の照射光を導くことが可能になる。これにより、装置本体２０４の前面２１０の該当箇所を効率よく照明して視認性を向上させることができるとともに、液晶パネル１０の照射光が直接運転者や助手席の搭乗者の視界に入ることを防止あるいは低減することが可能になり、眩しさを抑えることができる。
【００３７】
なお、液晶パネルの中には、２枚の液晶パネルを組み合わせることにより、立体視を実現したり、二人の利用者が異なる角度から別々の映像を見ることができるようにしたものがあるが、この場合にも各液晶パネルの液晶の配向角を制御することにより、照明による視認性を向上させることができる。例えば、図１３に示すように２枚の液晶パネル１０Ａ、１０Ｂが重ねて配置されているときに、図１４に示すように、各液晶パネル１０Ａ、１０Ｂに含まれる電極に印加する電圧を制御することにより、バックライトに近い側の液晶パネル１０Ｂに含まれる液晶の配向角をバックライトの発光面とほぼ垂直に設定するとともに、バックライトから遠い側の液晶パネル１０Ａに含まれる液晶の配向角を変えて装置本体２０４の前面２１０の該当箇所に向けた光の照射量を増加させることができる。
【００３８】
〔参考実施形態〕
上述した第１の実施形態では液晶パネル１０と組み合わされるバックライト１４を発光部として用いて装置本体２０４の前面２１０の操作対象部位に対する照明を行ったが、その他の発光部を用いるようにしてもよい。
【００３９】
図１５は、参考実施形態の表示装置の構成を示す図である。図１５に示すように、本実施形態の表示装置３００は、発光部５０、レンズ５２、駆動部５４、開閉検出部６０、照明位置格納部６２、制御部７０を含んで構成されている。なお、この表示装置３００が含まれる車載装置については図２や図３に示したものがそのまま適用される。但し、本実施形態では、液晶パネル１０の代わりに発光部５０が用いられているため、図２や図３に示したノーズ２０２に含まれる液晶パネル１０を発光部５０に置き換える必要がある。
【００４０】
発光部５０は、ＬＥＤあるいはその他のランプが用いられており、所定範囲で放射状に光が照射される。例えば、発光部５０は、各種のインジケータとして用いられる。レンズ５２は、発光部５０に近接して配置されており、発光部５０から放射状に照射される光を集光する。駆動部５４は、レンズ５２の向きを機械的に調整する。ノーズ２０２の一方の面には複数の発光部５０が備わっており、それぞれの発光部５０に対応してレンズ５２と駆動部５４が設けられている。
【００４１】
開閉検出部６０は、ノーズ２０２の開閉状態を検出する。照明位置格納部６２は、ノーズ２０２を開状態にしたときに、発光部５０の照射光を前面２１０に含まれる操作対象部位（ＣＤ挿入口２２０等）に向けるために必要なレンズ５２の調整量に関するデータを格納する。
【００４２】
制御部７０は、表示装置３００の全体制御を行うとともに、ノーズ２０２の開閉動作に伴ってレンズ５２の向きを変更する制御を行う。具体的には、開閉検出部６０によってノーズ２０２が閉状態から開状態に移行したことが検出されると、制御部７０は、照明位置格納部６２からレンズ５２の調整量に関するデータを読み出し、このデータに基づいて駆動部５４を制御してレンズ５２の向きを変更する。例えば、ノーズ２０２が閉状態にあるときに、図１６に示すレンズ５２の向きに設定されていたものが、ノーズ２０２が開状態になったときに、図１７に示すレンズの向きに変更される。これにより、発光部５０から照射された光によって、装置本体２０４の前面２１０の操作対象部位に対してスポット的に照射を行うことが可能になり、操作対象部位の視認性を向上させることができる。
【００４３】
上述した発光部５０、レンズ５２、駆動部５４が表示手段に、制御部７０，照明位置格納部６２が照明制御手段に、レンズ５２、駆動部５４が調整手段にそれぞれ対応する。
【００４４】
なお、本発明は上記実施形態に限定されるものではなく、本発明の要旨の範囲内において種々の変形実施が可能である。例えば、上述した実施形態では、車載装置２００に含まれる表示装置１００、３００について説明したが、車載装置２００以外の各種の装置に含まれる表示装置について本発明を適用することができる。
【図面の簡単な説明】
【００４５】
【図１】第１の実施形態の表示装置の構成を示す図である。
【図２】液晶パネルの設置状態を示す図である。
【図３】液晶パネルの設置状態を示す図である。
【図４】ノーズの開閉動作に伴って行われる表示装置の動作手順を示す流れ図である。
【図５】照明パターンの表示の具体例を示す図である。
【図６】照明パターンの表示の変形例を示す図である。
【図７】操作部に文字を投影する場合の変形例を示す図である。
【図８】操作部に文字を投影する場合の変形例を示す図である。
【図９】操作部に文字を投影する場合の変形例を示す図である。
【図１０】液晶パネルに含まれる液晶の配向角を制御する変形例を示す図である。
【図１１】液晶パネルに含まれる液晶の配向角を制御する変形例を示す図である。
【図１２】液晶パネルに含まれる液晶の配向角を制御する変形例を示す図である。
【図１３】２枚の液晶パネルを用いる場合の変形例を示す図である。
【図１４】２枚の液晶パネルを用いる場合の変形例を示す図である。
【図１５】参考実施形態の表示装置の構成を示す図である。
【図１６】レンズの向きを調整して発光部の照射光の向きを変える具体例を示す図である。
【図１７】レンズの向きを調整して発光部の照射光の向きを変える具体例を示す図である。
【符号の説明】
【００４６】
１０  液晶パネル
１２  液晶駆動部
１４  バックライト
１６  バックライト駆動部
２０  表示処理部
３０、６０  開閉検出部
３２  メディア挿入検出部
３４  照明パターン格納部
４０、７０  制御部
５０  発光部
５２  レンズ
５４  駆動部
６２  照明位置格納部
【図１】
0004640759.tif 000002
【図２】
0004640759.tif 000003
【図３】
0004640759.tif 000004
【図４】
0004640759.tif 000005
【図５】
0004640759.tif 000006
【図６】
0004640759.tif 000007
【図７】
0004640759.tif 000008
【図８】
0004640759.tif 000009
【図９】
0004640759.tif 000010
【図１０】
0004640759.tif 000011
【図１１】
0004640759.tif 000012
【図１２】
0004640759.tif 000013
【図１３】
0004640759.tif 000014
【図１４】
0004640759.tif 000015
【図１５】
0004640759.tif 000016
【図１６】
0004640759.tif 000017
【図１７】
0004640759.tif 000018